(57)【要約】 【課題】  視認方向に拘わらず高い被視認性を確保する。【解決手段】  光を出射する光源と、光源から出射された光を反射する複数の反射面を有するリフレクターとを備え、複数の反射面が存在する領域が反射領域として形成され、複数の反射面は少なくとも一つずつが第１の反射面と第２の反射面と第３の反射面として形成され、第１の反射面の反射角度が所定の軸を基準として所定の角度以下にされ、第２の反射面と第３の反射面の反射角度がそれぞれ所定の軸を基準として所定の角度より大きくされ、第２の反射面の反射方向と第３の反射面の反射方向とが異なる方向にされ、反射領域の少なくとも半分の領域に第２の反射面と第１の反射面と第３の反射面が順に隣り合って存在する。【選択図】図３
2019091678.tif 000002
【特許請求の範囲】
【請求項１】
光を出射する光源と、
前記光源から出射された光を反射する複数の反射面を有するリフレクターとを備え、
前記複数の反射面が存在する領域が反射領域として形成され、
前記複数の反射面は少なくとも一つずつが第１の反射面と第２の反射面と第３の反射面として形成され、
前記第１の反射面の反射角度が所定の軸を基準として所定の角度以下にされ、
前記第２の反射面と前記第３の反射面の反射角度がそれぞれ前記所定の軸を基準として前記所定の角度より大きくされ、
前記第２の反射面の反射方向と前記第３の反射面の反射方向とが異なる方向にされ、
前記反射領域の少なくとも半分の領域に前記第２の反射面と前記第１の反射面と前記第３の反射面が順に隣り合って存在する
車輌用灯具。
【請求項２】
前記第２の反射面が光を左方へ反射する反射面にされ、
前記第３の反射面が光を右方へ反射する反射面にされた
請求項１に記載の車輌用灯具。
【請求項３】
前記所定の角度が１０度にされた
請求項１又は請求項２に記載の車輌用灯具。
【請求項４】
前記複数の反射面が平面に形成された
請求項１、請求項２又は請求項３に記載の車輌用灯具。
【請求項５】
前記複数の反射面のうち少なくとも一つの前記反射面は反射角度が隣り合う全ての前記反射面の反射角度と異なるようにされた
請求項１、請求項２、請求項３又は請求項４に記載の車輌用灯具。
【請求項６】
前記複数の反射面のうち任意の前記反射面は反射角度又は反射方向が隣り合う全ての前記反射面の反射角度又は反射方向と異なるようにされた
請求項５に記載の車輌用灯具。
【請求項７】
前記反射領域は複数の区分領域によって形成され、
前記複数の区分領域にはそれぞれ少なくとも前記第２の反射面と前記第３の反射面が存在し、
前記複数の区分領域のうち前記光源に最も近い前記区分領域における前記第２の反射面と前記第３の反射面の前記所定の軸に対する反射角度が、全ての前記反射面の前記所定の軸に対する反射角度の中で最大にされた
請求項１、請求項２、請求項３、請求項４、請求項５又は請求項６に記載の車輌用灯具。
【発明の詳細な説明】
【技術分野】
【０００１】
本発明は、光源から出射された光を反射する複数の反射面を有するリフレクターを備えた車輌用灯具についての技術分野に関する。
【背景技術】
【０００２】
車輌用灯具には、光源から出射された光を所定の方向へ向けて反射するリフレクターが設けられ、リフレクターが複数の反射面を有する構成にされたものがある（例えば、特許文献１参照）。
【０００３】
このような車輌用灯具においては、光源から出射された光が各反射面で所定の軸、例えば、光軸に平行な方向へ反射されて外部へ向けて照射される。また、車輌用灯具には反射面に拡散ステップが形成されたものがあるが、この場合においても各反射面の反射方向が何れも光軸に平行な方向にされた状態で、この平行な方向を基準として拡散されるように構成されている。
【先行技術文献】
【特許文献】
【０００４】
【特許文献１】特開平１１−１４４５０１号公報
【発明の概要】
【発明が解決しようとする課題】
【０００５】
ところで、上記のように、従来の車輌用灯具においては、各反射面における反射方向が光軸に平行な方向にされているため、歩行者や他の車輌の搭乗者等によって車輌用灯具の点灯状態が視認されたときに、各反射面において光って見える位置が視認する角度に応じて一律に移動されるように認識される。
【０００６】
例えば、車輌用灯具が正面から視認されたときには各反射面において光って見える位置が各反射面のそれぞれ中央部であるように認識され、車輌用灯具が斜め側方（左右側方）から視認されたときには、各反射面において光って見える位置が各反射面の中央部よりそれぞれ左方又は右方に寄った位置であるように認識される。
【０００７】
従って、車輌用灯具が視認されたときに光の照射状態が視認する角度に応じて単調に変化するようにしか認識されず、被視認性が乏しくなってしまう。
【０００８】
また、各反射面における反射方向が何れも光軸に平行な方向にされているため、車輌用灯具が正面に対して斜め方向から視認されたときに、車輌用灯具から斜め方向へ照射される光量が少なく、視認方向によっては光が見え難くなり被視認性が低下するおそれがある。
【０００９】
そこで、本発明は、視認方向に拘わらず高い被視認性を確保することを目的とする。
【課題を解決するための手段】
【００１０】
第１に、本発明に係る車輌用灯具は、光を出射する光源と、前記光源から出射された光を反射する複数の反射面を有するリフレクターとを備え、前記複数の反射面が存在する領域が反射領域として形成され、前記複数の反射面は少なくとも一つずつが第１の反射面と第２の反射面と第３の反射面として形成され、前記第１の反射面の反射角度が所定の軸を基準として所定の角度以下にされ、前記第２の反射面と前記第３の反射面の反射角度がそれぞれ前記所定の軸を基準として前記所定の角度より大きくされ、前記第２の反射面の反射方向と前記第３の反射面の反射方向とが異なる方向にされ、前記反射領域の少なくとも半分の領域に前記第２の反射面と前記第１の反射面と前記第３の反射面が順に隣り合って存在するものである。
【００１１】
これにより、反射領域の少なくとも半分の領域に、光を第２の反射面及び第３の反射面の反射角度より小さな角度で反射する第１の反射面と、第１の反射面の反射角度より大きな角度で光を反射する第２の反射面と、第１の反射面の反射角度より大きな角度で第２の反射面の反射方向と異なる方向へ光を反射する第３の反射面とが存在する。
【００１２】
第２に、上記した本発明に係る車輌用灯具においては、前記第２の反射面が光を左方へ反射する反射面にされ、前記第３の反射面が光を右方へ反射する反射面にされることが望ましい。
【００１３】
これにより、反射領域の少なくとも半分の領域に、光を第２の反射面及び第３の反射面の反射角度より小さな角度で反射する第１の反射面と、第１の反射面の反射角度より大きな角度で光を左方へ反射する第２の反射面と、第１の反射面の反射角度より大きな角度で光を右方へ反射する第３の反射面とが存在する。
【００１４】
第３に、上記した本発明に係る車輌用灯具においては、前記所定の角度が１０度にされることが望ましい。
【００１５】
これにより、第１の反射面で反射された光が所定の軸方向に平行な方向又は所定の軸方向に対して大きく離隔しない方向へ向けて照射される。
【００１６】
第４に、上記した本発明に係る車輌用灯具においては、前記複数の反射面が平面に形成されることが望ましい。
【００１７】
これにより、複数の反射面が簡素な形状に形成される。
【００１８】
第５に、上記した本発明に係る車輌用灯具においては、前記複数の反射面のうち少なくとも一つの前記反射面は反射角度が隣り合う全ての前記反射面の反射角度と異なるようにされることが望ましい。
【００１９】
これにより、少なくとも一つの反射面の反射角度とその反射面に隣り合う全ての反射面の反射角度とが異なるため、当該一つの反射面とその周囲の反射面とが存在する領域を視認したときに視認角度に応じて見え方が変化する。
【００２０】
第６に、上記した本発明に係る車輌用灯具においては、前記複数の反射面のうち任意の前記反射面は反射角度又は反射方向が隣り合う全ての前記反射面の反射角度又は反射方向と異なるようにされることが望ましい。
【００２１】
これにより、リフレクターの何れの反射面においても反射角度又は反射方向が隣り合う全ての反射面の反射角度又は反射方向と異なるため、反射領域を視認したときに視認角度に応じて見え方が変化する。
【００２２】
第７に、上記した本発明に係る車輌用灯具においては、前記反射領域は複数の区分領域によって形成され、前記複数の区分領域にはそれぞれ少なくとも前記第２の反射面と前記第３の反射面が存在し、前記複数の区分領域のうち前記光源に最も近い前記区分領域における前記第２の反射面と前記第３の反射面の前記所定の軸に対する反射角度が、全ての前記反射面の前記所定の軸に対する反射角度の中で最大にされることが望ましい。
【００２３】
これにより、光源に最も近い区分領域において光が大きな反射角度で反射される。
【発明の効果】
【００２４】
本発明によれば、反射領域の少なくとも半分の領域に、光を第２の反射面及び第３の反射面の反射角度より小さな角度で反射する第１の反射面と、第１の反射面の反射角度より大きな角度で光を反射する第２の反射面と、第１の反射面の反射角度より大きな角度で第２の反射面の反射方向と異なる方向へ光を反射する第３の反射面とが存在するため、視認方向に拘わらず高い被視認性を確保することができる。
【図面の簡単な説明】
【００２５】
【図１】図２乃至図１３と共に本発明車輌用灯具の実施の形態を示すものであり、本図は、車輌用灯具の概略断面図である。
【図２】光源とともに示すリフレクターの概略断面図である。
【図３】反射領域の構成の一例を示す概念図である。
【図４】反射面の反射角度の割合の一例を示す図である。
【図５】反射面の反射角度の一例を示す図である。
【図６】左右方向の反射と上下方向の反射とを考慮した場合の一例を示す概念図である。
【図７】反射面が三角形状に形成された場合の構成の一例を示す概念図である。
【図８】反射面が六角形状に形成された場合の構成の一例を示す概念図である。
【図９】図１０乃至図１３と共に光によって文字や模様等が認識される構成の例を示すものであり、本図は、光の進行方向を示す概念図である。
【図１０】第１の出射面から出射される光によって文字が認識される例を示す概念図である。
【図１１】第２の出射面から出射される光によって模様が認識される例を示す概念図である。
【図１２】第３の出射面から出射される光によって模様が認識される例を示す概念図である。
【図１３】配光の一例を示す図である。
【発明を実施するための形態】
【００２６】
以下に、本発明車輌用灯具を実施するための形態について添付図面を参照して説明する。
【００２７】
以下の説明にあっては、光軸方向を前後方向として前後上下左右の方向を示すものとする。但し、以下に示す前後上下左右の方向は説明の便宜上のものであり、本発明の実施に関しては、これらの方向に限定されることはない。
【００２８】
車輌用灯具１は、例えば、車体の左右両端部にそれぞれ取り付けられて配置されている。車輌用灯具１は前方に開口された凹部を有するランプハウジング２とランプハウジング２の開口を閉塞するカバー３とを備えている（図１参照）。ランプハウジング２とカバー３によって灯具外筐４が構成されている。灯具外筐４の内部空間は灯室５として形成されている。尚、図１は、車輌用灯具１の構成を概念的に示す図であり、車輌用灯具１を構成する各部の具体的な形状や大きさを示すものではない。
【００２９】
灯室５には光を出射する光源６と光源６から出射された光を反射するリフレクター７とが配置されている（図１及び図２参照）。光源６はリフレクター７の後端より前側に位置されている。リフレクター７は、例えば、前方及び下方に開口された椀状に形成され、内面が反射領域１０として形成されている。車輌用灯具１は所定の軸、例えば、光軸Ｓの方向（光軸方向）が前後方向にされている。また、以下には、光の拡散角度や反射方向や反射角度等を光軸Ｓを基準として示すが、本発明においては基準が光軸Ｓに限られることはなく、所定の軸（仮想軸）、例えば、光の照射方向、例えば、前後方向に延びる軸が基準にされていればよい。
【００３０】
反射領域１０は、例えば、上下左右に並ぶ複数の反射面２０、２０、・・・によって形成されている。反射面２０、２０、・・・は、例えば、平面に形成されている（図２参照）。但し、反射面２０、２０、・・・には光軸Ｓを基準とした拡散角度が、例えば、５度以内の拡散ステップが形成されていてもよい（図２参照）。尚、図２は、リフレクター７の構成を概念的に示す図であり、リフレクター７に形成された反射面２０、２０、・・・の実際の向きや大きさや配列状態を示すものではない。
【００３１】
以下に、リフレクター７における反射領域１０の具体的な構成について説明する（図３乃至図５参照）。尚、反射領域１０の以下の説明において参照する各図に示された記号の意味は以下の通りである。
【００３２】
「・」は反射方向が光軸Ｓを基準として１０度以下であることを示し、「→」は反射方向が左方向であり光軸Ｓを基準として１０度より大きいことを示し、「←」は反射方向が右方向であり光軸Ｓを基準として１０度より大きいことを示す。
【００３３】
反射領域１０は、例えば、上下左右に均等に区分された四つのベース領域１１、１１、・・・によって構成されている（図３参照）。図３においては、ベース領域１１、１１、・・・が太い実線によって区分されて示されている。尚、反射領域１０に設けられるベース領域１１の区分の方向及びベース領域１１の数は任意である。
【００３４】
ベース領域１１は、例えば、上下左右に均等に区分された九つの区分領域１２、１２、・・・によって構成されている。図３においては、区分領域１２、１２、・・・が細い実線によって区分されて示されている。尚、ベース領域１１に設けられる区分領域１２の区分の方向及び区分領域１２の数は任意である。
【００３５】
区分領域１２は、例えば、上下左右に均等に区分された九つの反射面２０、２０、・・・によって構成されている。図３においては、反射面２０、２０、・・・が点線によって区分されて示されている。尚、区分領域１２に設けられる反射面２０の区分の方向及び反射面２０の数は任意である。
【００３６】
また、図３には、反射領域１０とベース領域１１と区分領域１２と反射面２０が何れも正方形にされている例を示しているが、反射領域１０とベース領域１１と区分領域１２と反射面２０の形状は任意であり、長方形や平行四辺形や菱形や三角形等の正方形以外の多角形であってもよい。また、図３には、便宜上、反射面２０、２０、・・・を同じ大きさにして示しているが、反射面２０、２０、・・・は異なる大きさにされていてもよい。
【００３７】
リフレクター７において、各反射面２０の反射方向を所定の範囲毎に分けると、各範囲に含まれる反射面２０の面積の割合が、反射領域１０の面積に対して以下のようにされている（図４参照）。
【００３８】
範囲は、例えば、範囲１から範囲６まで六つに分けると、反射方向が光軸Ｓに平行にされた範囲（角度０度）が範囲１であり、反射方向を１０度毎に分けた各範囲が範囲２から範囲６である。図４において、範囲２から範囲６に「左」又は「右」とあるのは、それぞれ反射方向が左方又は右方であることを示している。
【００３９】
範囲１の割合は１０％前後にされており、例えば、１１％にされている。範囲２から範囲６までの各範囲の割合は、範囲１の割合の数値に対して１０以内の数値になるようにされている。例えば、範囲１の割合が１１％の場合には、範囲２から範囲６までの「左」と「右」のそれぞれの割合が１％以上２１％以下になるようにされている。
【００４０】
反射面２０、２０、・・・はそれぞれ３種類の反射面のうち何れか１種類の反射面として形成されている（図３及び図４参照）。この３種類の反射面は第１の反射面２０Ａと第２の反射面２０Ｂと第３の反射面２０Ｃとされ、第１の反射面２０Ａと第２の反射面２０Ｂと第３の反射面２０Ｃは異なる方向へ光を反射する反射面である。
【００４１】
第１の反射面２０Ａは反射角度が光軸Ｓを基準として所定の角度、例えば、１０度以下にされている（図４参照）。第２の反射面２０Ｂは反射角度が光軸Ｓを基準として所定の角度、例えば、１０度より大きくされ、光を左方へ反射する反射面である。第３の反射面２０Ｃは反射角度が光軸Ｓを基準として所定の角度、例えば、１０度より大きくされ、光を右方へ反射する反射面である。
【００４２】
尚、上記した所定の角度は１０度に限られることはなく、他の角度でもよい。但し、所定の角度は１０度に近い角度が望ましく、例えば、５度から１５度までの任意の角度を用いることが可能である。
【００４３】
リフレクター７においては、反射領域１０の少なくとも半分の領域に第２の反射面２０Ｂと第１の反射面２０Ａと第３の反射面２０Ｃが順に隣り合って存在する（図３参照）。反射領域１０の半分の領域は二つのベース領域１１、１１が占有する領域である。
【００４４】
具体的には、リフレクター７においては、各区分領域１２のそれぞれに第２の反射面２０Ｂと第１の反射面２０Ａと第３の反射面２０Ｃが順に隣り合って存在するように構成されている。
【００４５】
例えば、図３に抽出して示した区分領域１２Ａにおいては、中段に第１の反射面２０Ａを挟んだ左右両側に第２の反射面２０Ｂと第３の反射面２０Ｃが第１の反射面２０Ａに隣接して位置され、第２の反射面２０Ｂと第１の反射面２０Ａと第３の反射面２０Ｃが順に隣り合って位置されている。
【００４６】
また、例えば、区分領域１２Ａにおいては、中列に第１の反射面２０Ａを挟んだ上下両側に第３の反射面２０Ｃと第２の反射面２０Ｂが第１の反射面２０Ａに隣接して位置され、第２の反射面２０Ｂと第１の反射面２０Ａと第３の反射面２０Ｃが順に隣り合って位置されている。
【００４７】
さらに、各区分領域１２のそれぞれは、例えば、三つの第１の反射面２０Ａ、２０Ａ、２０Ａと三つの第２の反射面２０Ｂ、２０Ｂ、２０Ｂと三つの第３の反射面２０Ｃ、２０Ｃ、２０Ｃとによって構成されている。
【００４８】
さらに、リフレクター７においては、少なくとも一つの反射面２０の反射角度が隣り合う全ての反射面２０、２０、・・・の反射角度と異なるようにされている。
【００４９】
例えば、図３に抽出して示した区分領域１２Ａにおいては、中央に第１の反射面２０Ａが位置され上下左右に隣り合う四つの反射面２０、２０、・・・が位置されており、この上下左右に隣り合う四つの反射面２０、２０、・・・が第２の反射面２０Ｂ、２０Ｂと第３の反射面２０Ｃ、２０Ｃとされている。従って、中央に位置された第１の反射面２０Ａの反射角度が上下左右に隣り合う四つの反射面２０、２０、・・・の反射角度と異なるようにされている。
【００５０】
また、例えば、図３に抽出して示した隣り合う四つの区分領域１２、１２、・・・に跨がる領域Ｂにおいては、中央に第１の反射面２０Ａが位置され上下左右に隣り合う四つの反射面２０、２０、・・・が位置されており、この上下左右に隣り合う四つの反射面２０、２０、・・・が第２の反射面２０Ｂ、２０Ｂと第３の反射面２０Ｃ、２０Ｃとされている。従って、中央に位置された第１の反射面２０Ａの反射角度が上下左右に隣り合う四つの反射面２０、２０、・・・の反射角度と異なるようにされている。
【００５１】
リフレクター７においては、何れの反射面２０を基準としたときにも、この基準にした反射面２０の反射角度又は反射方向が、隣り合う全ての反射面２０、２０、・・・と異なるようにされている。
【００５２】
例えば、図３に抽出して示した区分領域１２Ｃにおいては、中央に第２の反射面２０Ｂが位置され上下左右に隣り合う四つの反射面２０、２０、・・・が位置されており、この上下左右に隣り合う四つの反射面２０、２０、・・・が第１の反射面２０Ａ、２０Ａと第３の反射面２０Ｃ、２０Ｃとされている。従って、中央に位置された第２の反射面２０Ｂの反射角度又は反射方向が上下左右に隣り合う四つの反射面２０、２０、・・・の反射角度又は反射方向と異なるようにされている。
【００５３】
また、例えば、図３に抽出して示した領域Ｂにおいては、中央に第１の反射面２０Ａが位置され上下左右に隣り合う四つの反射面２０、２０、・・・が位置されており、この上下左右に隣り合う四つの反射面２０、２０、・・・が第２の反射面２０Ｂ、２０Ｂと第３の反射面２０Ｃ、２０Ｃとされている。従って、中央に位置された第１の反射面２０Ａの反射角度が上下左右に隣り合う四つの反射面２０、２０、・・・の反射角度と異なるようにされている。
【００５４】
次に、反射面２０、２０、・・・の各反射角度について説明する（図５参照）。
【００５５】
図５において、右側の上段の図は第１の反射面２０Ａの反射角度を示し、右側の下段の図は第２の反射面２０Ｂと第３の反射面２０Ｃの反射角度を示す。各図において、数値が示されている各部分はそれぞれ区分領域１２、１２、・・・である。尚、上段の図において「左」又は「右」とあるのは、それぞれ反射方向が左方又は右方であることを示している。
【００５６】
例えば、区分領域１２Ｃにおいては、反射面２０、２０、・・・の各反射角度が０度（光軸Ｓに平行）又は２０度にされており、第１の反射面２０Ａ、２０Ａ、２０Ａの反射角度が０度にされ、第２の反射面２０Ｂ、２０Ｂ、２０Ｂの反射角度が左方へ２０度にされ、第３の反射面２０Ｃ、２０Ｃ、２０Ｃの反射角度が右方へ２０度にされている。
【００５７】
区分領域１２、１２、・・・のうち光源６に最も近い区分領域１２Ｂ、１２Ｂにおける第２の反射面２０Ｂ、２０Ｂ、・・・と第３の反射面２０Ｃ、２０Ｃ、・・・の反射角度は、全ての反射面２０、２０、・・・の反射角度の中で最大にされている。具体的には、区分領域１２Ｂ、１２Ｂにおける第２の反射面２０Ｂ、２０Ｂ、・・・と第３の反射面２０Ｃ、２０Ｃ、・・・の反射角度は、例えば、４０度にされている。
【００５８】
尚、第２の反射面２０Ｂと第３の反射面２０Ｃの反射角度の最小値は１１度にされているが、第２の反射面２０Ｂと第３の反射面２０Ｃの反射角度の最小値を、例えば、１０度にすることも可能である。
【００５９】
上記のように、車輌用灯具１においては、光源６に最も近い区分領域１２Ｂ、１２Ｂにおける第２の反射面２０Ｂと第３の反射面２０Ｃの光軸Ｓに対する反射角度が、全ての反射面２０の光軸Ｓに対する反射角度の中で最大にされている。
【００６０】
従って、光源６に最も近い区分領域１２Ｂ、１２Ｂにおいて光が大きな反射角度で反射されるため、光源６の近傍において他の領域に対して特に輝度が高く視認される所謂点光りの現象の発生が抑制され、反射領域１０を視認したときに均一な反射状態が認識され、被視認性の向上を図ることができる。
【００６１】
尚、上記に示した反射方向の「左方向」を左斜め上方や左斜め下方をも含む方向とし、反射方向の「右方向」を右斜め上方や右斜め下方をも含む方向とすることも可能である。
【００６２】
次いで、上下の反射方向をも考慮した例について説明する（図６参照）。尚、図６には、説明を簡略化するために一つのベース領域のみを示す。図６において、「↑」は反射方向が上方向であり光軸Ｓを基準として１０度より大きいことを示し、「↓」は反射方向が下方向であり光軸Ｓを基準として１０度より大きいことを示す。
【００６３】
図６においては、上段の左側に、左右の反射方向を考慮した場合のベース領域１１を示し、上段の右側に、上下の反射方向を考慮した場合のベース領域１１Ｐを示す。
【００６４】
左右の反射方向に加えて上下の反射方向をも考慮しベース領域１１にベース領域１１Ｐを足し合わせる概念で各反射面２０を形成することにより、上下左右に対して斜め方向へも光が反射される構成にされたベース領域１１Ｑを形成することが可能である（図６の下段参照）。
【００６５】
例えば、同一の反射面２０において、左方への反射と下方への反射を足し合わせることにより、光を左斜め下方へ反射する反射面２０を形成する。
【００６６】
このような足し合わせを考慮した反射領域を形成することにより、配光制御の自由度の向上を図ることができる。尚、車輌用灯具１においては、左右方向のみを考慮した反射領域が形成されていてもよく、上下方向のみを考慮した反射領域が形成されていてもよい。
【００６７】
以上に記載した通り、車輌用灯具１にあっては、第１の反射面２０Ａの反射角度が光軸Ｓを基準として所定の角度以下にされ、第２の反射面２０Ｂと第３の反射面２０Ｃの反射角度がそれぞれ光軸Ｓを基準として所定の角度より大きくされ、第２の反射面２０Ｂの反射方向と第３の反射面２０Ｃの反射方向とが異なる方向にされ、反射領域１０の少なくとも半分の領域に第２の反射面２０Ｂと第１の反射面２０Ａと第３の反射面２０Ｃが順に隣り合って存在する。
【００６８】
従って、反射領域１０の少なくとも半分の領域に、光を第２の反射面２０Ｂ及び第３の反射面２０Ｃの反射角度より小さな角度で反射する第１の反射面２０Ａと、第１の反射面２０Ａの反射角度より大きな角度で光を反射する第２の反射面２０Ｂと、第１の反射面２０Ａの反射角度より大きな角度で第２の反射面の反射方向と異なる方向へ光を反射する第３の反射面２０Ｃとが存在するため、視認方向に拘わらず高い被視認性を確保することができる。
【００６９】
特に、視認角度や視認方向によって光って見える反射面２０、２０、・・・の位置が様々に変化する所謂キラキラ感が生じ、視認方向に拘わらず高い被視認性を確保することができる。
【００７０】
また、車輌用灯具１から光軸Ｓに対して斜め方向へ照射される光量が増え、光の視認範囲が広がるため、被視認性の向上を図ることができる。
【００７１】
さらに、第２の反射面２０Ｂが光を左方へ反射する反射面にされ、第３の反射面２０Ｃが光を右方へ反射する反射面にされている。
【００７２】
従って、反射領域１０の少なくとも半分の領域に、光を第２の反射面２０Ｂ及び第３の反射面２０Ｃの反射角度より小さな角度で反射する第１の反射面２０Ａと、第１の反射面２０Ａの反射角度より大きな角度で光を左方へ反射する第２の反射面２０Ｂと、第１の反射面２０Ａの反射角度より大きな角度で光を右方へ反射する第３の反射面２０Ｃとが存在するため、左右方向において視認方向に拘わらず高い被視認性を確保することができる。
【００７３】
さらにまた、所定の角度が１０度にされることにより、第１の反射面２０Ａで反射された光が光軸方向に平行な方向又は光軸方向に対して大きく離隔しない方向へ向けて照射されるため、より必要とされる照明範囲への照射量を高めた上で、視認方向に拘わらず高い被視認性を確保することができる。
【００７４】
また、複数の反射面２０、２０、・・・が平面に形成されることにより、複数の反射面２０、２０、・・・が簡素な形状に形成されるため、製造コストの高騰を来すことなく被視認性の向上を図ることができる。
【００７５】
さらに、複数の反射面２０、２０、・・・のうち少なくとも一つの反射面２０は、反射角度が隣り合う全ての反射面２０、２０、・・・の反射角度と異なるようにされている。
【００７６】
従って、少なくとも一つの反射面２０の反射角度とその反射面２０に隣り合う全ての反射面２０、２０、・・・の反射角度とが異なるため、当該一つの反射面２０とその周囲の反射面２０、２０、・・・とが存在する領域を視認したときに視認角度に応じて見え方が変化し、被視認性の向上を図ることができる。
【００７７】
加えて、複数の反射面２０、２０、・・・のうち任意の反射面２０は、反射角度又は反射方向が隣り合う全ての反射面２０、２０、・・・の反射角度又は反射方向と異なるようにされている。
【００７８】
従って、リフレクター７の何れの反射面２０においても反射角度又は反射方向が隣り合う全ての反射面２０、２０、・・・の反射角度又は反射方向と異なるため、反射領域１０を視認したときに視認角度に応じて見え方が変化し、被視認性の一層の向上を図ることができる。
【００７９】
上記には、反射面の形状が矩形状である例を示したが、以下に、反射面が三角形状に形成された例及び六角形状に形成された例について説明する（図７及び図８参照）。尚、三角形状に形成された例と六角形状に形成された例は、上記と同様に、足し合わせる概念で各反射面を形成した例である。但し、以下の例についても、左右の反射方向のみ又は上下の反射方向のみを考慮して反射面を形成することも可能である。尚、図７及び図８においても、説明を簡略化するために一つのベース領域のみを示す。
【００８０】
先ず、反射面が三角形状に形成された例について説明する（図７参照）。
【００８１】
ベース領域１１Ｘは、例えば、上下左右に区分された九つの区分領域１２Ｘ、１２Ｘ、・・・によって構成されている。尚、ベース領域１１Ｘに設けられる区分領域１２Ｘの区分の方向及び区分領域１２Ｘの数は任意である。
【００８２】
区分領域１２Ｘは、例えば、六つに区分された正三角形状の九つの反射面２０Ｘ、２０Ｘ、・・・によって構成されている。尚、区分領域１２Ｘに設けられる反射面２０Ｘの区分の方向及び反射面２０Ｘの数は任意である。また、図７には、反射面２０Ｘが正三角形状にされている例を示しているが、反射面２０Ｘの形状は他の三角形状であってもよい。また、図７には、便宜上、反射面２０Ｘ、２０Ｘ、・・・を同じ大きさにして示しているが、反射面２０Ｘ、２０Ｘ、・・・は異なる大きさにされていてもよい。
【００８３】
三角形状の反射面２０Ｘ、２０Ｘ、・・・を有するリフレクターにおいても、反射領域の少なくとも半分の領域に第２の反射面２０ＸＢと第１の反射面２０ＸＡと第３の反射面２０ＸＣが順に隣り合って存在する。第１の反射面２０ＸＡは反射角度が光軸Ｓを基準として所定の角度、例えば、１０度以下にされている。第２の反射面２０ＸＢは反射角度が光軸Ｓを基準として所定の角度、例えば、１０度より大きくされ、光を左方（左斜め上方と左斜め下方を含む方向）へ反射する反射面である。第３の反射面２０ＸＣは反射角度が光軸Ｓを基準として所定の角度、例えば、１０度より大きくされ、光を右方（右斜め上方と右斜め下方を含む方向）へ反射する反射面である。尚、上記した所定の角度は１０度に限られることはなく、他の角度でもよい。
【００８４】
また、反射面２０Ｘ、２０Ｘ、・・・によって構成されたリフレクターにおいては、少なくとも一つの反射面２０Ｘの反射角度が隣り合う全ての反射面２０Ｘ、２０Ｘ、・・・の反射角度と異なるようにされている。
【００８５】
例えば、図７に抽出して示した隣り合う区分領域１２Ｘ、１２Ｘに跨がる領域Ｄにおいては、中央に第１の反射面２０ＸＡが位置され上下左右に隣り合う三つの反射面２０Ｘ、２０Ｘ、２０Ｘが位置されており、この隣り合う三つの反射面２０Ｘ、２０Ｘ、２０Ｘが第２の反射面２０ＸＢ、２０ＸＢと第３の反射面２０ＸＣとされている。従って、中央に位置された第１の反射面２０ＸＡの反射角度が隣り合う三つの反射面２０Ｘ、２０Ｘ、２０Ｘの反射角度と異なるようにされている。
【００８６】
尚、反射面２０Ｘ、２０Ｘ、・・・によって構成された反射領域においても、光源６に最も近い区分領域１２Ｘにおける第２の反射面２０ＸＢと第３の反射面２０ＸＣの反射角度を、全ての反射面２０Ｘ、２０Ｘ、・・・の反射角度の中で最大にすることが可能である。
【００８７】
次に、反射面が六角形状に形成された例について説明する（図８参照）。
【００８８】
ベース領域１１Ｙは、例えば、上下左右に区分された九つの区分領域１２Ｙ、１２Ｙ、・・・によって構成されている。尚、ベース領域１１Ｙに設けられる区分領域１２Ｙの区分の方向及び区分領域１２Ｙの数は任意である。
【００８９】
区分領域１２Ｙは、例えば、正六角形状の九つの反射面２０Ｙ、２０Ｙ、・・・によって構成されている。尚、区分領域１２Ｙに設けられる反射面２０Ｙの区分の方向及び反射面２０Ｙの数は任意である。また、図８には、反射面２０Ｙが正六角形状にされている例を示しているが、反射面２０Ｙの形状は他の六角形状であってもよい。また、図８には、便宜上、反射面２０Ｙ、２０Ｙ、・・・を同じ大きさにして示しているが、反射面２０Ｙ、２０Ｙ、・・・は異なる大きさにされていてもよい。
【００９０】
六角形状の反射面２０Ｙ、２０Ｙ、・・・を有するリフレクターにおいても、反射領域の少なくとも半分の領域に第２の反射面２０ＹＢと第１の反射面２０ＹＡと第３の反射面２０ＹＣが順に隣り合って存在する。第１の反射面２０ＹＡは反射角度が光軸Ｓを基準として所定の角度、例えば、１０度以下にされている。第２の反射面２０ＹＢは反射角度が光軸Ｓを基準として所定の角度、例えば、１０度より大きくされ、光を左方（左斜め上方と左斜め下方を含む方向）へ反射する反射面である。第３の反射面２０ＹＣは反射角度が光軸Ｓを基準として所定の角度、例えば、１０度より大きくされ、光を右方（右斜め上方と右斜め下方を含む方向）へ反射する反射面である。尚、上記した所定の角度は１０度に限られることはなく、他の角度でもよい。
【００９１】
また、反射面２０Ｙ、２０Ｙ、・・・によって構成されたリフレクターにおいては、少なくとも一つの反射面２０Ｙの反射角度が隣り合う全ての反射面２０Ｙ、２０Ｙ、・・・の反射角度と異なるようにされている。
【００９２】
例えば、図８に抽出して示した隣り合う三つの区分領域１２Ｙ、１２Ｙ、１２Ｙに跨がる領域Ｅにおいては、中央に第１の反射面２０ＹＡが位置され周囲において隣り合う六つの反射面２０Ｙ、２０Ｙ、・・・が位置されており、この隣り合う六つの反射面２０Ｙ、２０Ｙ、・・・が四つの第２の反射面２０ＹＢ、２０ＹＢ、・・・と二つの第２の反射面２０ＹＣ、２０ＹＣとされている。従って、中央に位置された第１の反射面２０ＹＡの反射角度が隣り合う六つの反射面２０Ｙ、２０Ｙ、・・・の反射角度と異なるようにされている。
【００９３】
尚、反射面２０Ｙ、２０Ｙ、・・・によって構成された反射領域においても、光源６に最も近い区分領域１２Ｙにおける第２の反射面２０ＹＢと第３の反射面２０ＹＣの反射角度を、全ての反射面２０Ｙ、２０Ｙ、・・・の反射角度の中で最大にすることが可能である。
【００９４】
上記には、反射面２０、２０、・・・から光が左右方向又は上下方向において様々な角度で反射される例を示したが、例えば、反射面２０、２０、・・・から反射される光の反射方向を以下のように制御し、視認者において文字や図形や模様等が認識されるようにすることも可能である（図９乃至図１３参照）。
【００９５】
例えば、反射面２０、２０、・・・から異なる三つの方向へ光が反射されるように構成することが可能である（図９参照）。例えば、第１の反射面２０Ａ、２０Ａ、・・・からは光が正面方向へ反射され、第２の反射面２０Ｂ、２０Ｂ、・・・からは光が正面方向に対して左方へ所定の角度で反射され、第３の反射面２０Ｃ、２０Ｃ、・・・からは光が正面方向に対して右方へ所定の角度で反射される。
【００９６】
尚、図９に示す反射面２０、２０、・・・の範囲は、例として、図１０乃至図１２において破線で囲んだ範囲を示している。また、図１０乃至図１２の黒塗りの部分は光って見える部分を示している。
【００９７】
このような構成にすることにより、正面方向から車輌用灯具１が視認されたときには、第１の反射面２０Ａ、２０Ａ、・・・から正面方向へ反射された光のみが視認され、例えば、第１の反射面２０Ａ、２０Ａ、・・・から反射された光によって表現される文字が認識される（図１０参照）。
【００９８】
一方、正面方向に対して左右の一方から車輌用灯具１が視認されたときには、第２の反射面２０Ｂ、２０Ｂ、・・・から正面方向に対して左方の所定の角度で反射された光のみが視認され、例えば、第２の反射面２０Ｂ、２０Ｂ、・・・から反射された光によって表現される模様が認識される（図１１参照）。
【００９９】
また、正面方向に対して左右の他方から車輌用灯具１が視認されたときには、第３の反射面２０Ｃ、２０Ｃ、・・・から正面方向に対して右方の所定の角度で反射された光のみが視認され、例えば、第３の反射面２０Ｃ、２０Ｃ、・・・から反射された光によって表現される模様が認識される（図１２参照）。
【０１００】
このように反射面２０、２０、・・・から反射される光の反射方向を制御することにより、それぞれ特定の方向から車輌用灯具１が視認されたときに、視認者において文字や図形や模様等を認識させることが可能になり、被視認性の向上を図ることができる。特に、車輌用灯具１が標識灯として用いられる場合には、文字や図形や模様等によって視認者に対して標識や注意喚起等の表現を認識させることが可能になり、車輌用灯具１の機能性の向上を図ることができる。
【０１０１】
尚、上記には、第１の反射面２０Ａ、２０Ａ、・・・から正面方向へ反射される光によって文字が表現され、第２の反射面２０Ｂ、２０Ｂ、・・・と第３の反射面２０Ｃ、２０Ｃ、・・・から正面方向に対して左方又は右方へ反射される光によって模様が表現される例を示したが、これらの各方向へ反射される光によって文字や図形や模様等の何れが表現されるようにしてもよい。例えば、第１の反射面２０Ａ、２０Ａ、・・・から反射される光によって模様が表現され、第２の反射面２０Ｂ、２０Ｂ、・・・と第３の反射面２０Ｃ、２０Ｃ、・・・から反射される光によって文字や図形が表現されるようにしてもよく、第１の反射面２０Ａ、２０Ａ、・・・と第２の反射面２０Ｂ、２０Ｂ、・・・と第３の反射面２０Ｃ、２０Ｃ、・・・から反射される光によってそれぞれ異なる模様が表現されるようにしてもよい。
【０１０２】
また、第１の反射面２０Ａ、２０Ａ、・・・と第２の反射面２０Ｂ、２０Ｂ、・・・と第３の反射面２０Ｃ、２０Ｃ、・・・から反射される光の各反射方向は任意である。
【０１０３】
さらに、上記には、三つの異なる方向へ光が反射されて文字や図形や模様等が表現される例を示したが、光が反射される方向は三つの方向に限られることはなく、光が二つ以上の異なる方向へ反射されて文字や図形や模様等が表現される構成にされていればよい。
【０１０４】
尚、上記のような文字や図形や模様等が表現される構成においては、それぞれ特定の方向から視認されたときに文字や図形や模様等が表現されるようにするために、第１の反射面２０Ａ、２０Ａ、・・・と第２の反射面２０Ｂ、２０Ｂ、・・・と第３の反射面２０Ｃ、２０Ｃ、・・・からそれぞれ反射される光の拡散角度が小さいことが望ましく、例えば、拡散角度が５°以内にされることが望ましい。また、文字や図形や模様等が複数表現される構成にされてもよく、この場合には、複数の文字や図形や模様等がそれぞれ所望の範囲に表現されるような光の反射状態を確保するために、第１の反射面２０Ａ、２０Ａ、・・・と第２の反射面２０Ｂ、２０Ｂ、・・・と第３の反射面２０Ｃ、２０Ｃ、・・・からそれぞれ反射される光の拡散角度が５°より大きくされてもよい。
【０１０５】
しかしながら、拡散角度が小さくなると必要とされる配光を確保し難くなるが、車輌用灯具１においては、第１の反射面２０Ａ、２０Ａ、・・・と第２の反射面２０Ｂ、２０Ｂ、・・・と第３の反射面２０Ｃ、２０Ｃ、・・・からそれぞれ反射される光が補い合うことにより所定の配光が確保されている（図１３参照）。例えば、図１３において、第１の反射面２０Ａ、２０Ａ、・・・から反射される光のみによって得られる配光が配光Ｐであり、第２の反射面２０Ｂ、２０Ｂ、・・・から反射される光のみによって得られる配光が配光Ｑであり、第３の反射面２０Ｃ、２０Ｃ、・・・から反射される光のみによって得られる配光が配光Ｒであり、これらの配光Ｐと配光Ｑと配光Ｒが合算された配光が車輌用灯具１において必要とされる配光Ｔとされている。
【０１０６】
従って、拡散角度を小さくして文字や図形や模様等を表現し被視認性の向上を図った上で車輌用灯具１において必要とされる配光Ｔを確保して適正な照射状態を確保することができる。
【符号の説明】
【０１０７】
１…車輌用灯具、６…光源、７…リフレクター、１０…反射領域、１２…区分領域、１２Ａ…区分領域、１２Ｂ…区分領域、２０…反射面、２０Ａ…第１の反射面、２０Ｂ…第２の反射面、２０Ｃ…第３の反射面、１２Ｘ…区分領域、２０ＸＡ…第１の反射面、２０ＸＢ…第２の反射面、２０ＸＣ…第３の反射面、１２Ｙ…区分領域、２０ＹＡ…第１の反射面、２０ＹＢ…第２の反射面、２０ＹＣ…第３の反射面
【図１】
2019091678.tif 000003
【図２】
2019091678.tif 000004
【図３】
2019091678.tif 000005
【図４】
2019091678.tif 000006
【図５】
2019091678.tif 000007
【図６】
2019091678.tif 000008
【図７】
2019091678.tif 000009
【図８】
2019091678.tif 000010
【図９】
2019091678.tif 000011
【図１０】
2019091678.tif 000012
【図１１】
2019091678.tif 000013
【図１２】
2019091678.tif 000014
【図１３】
2019091678.tif 000015